(57)【要約】【課題】目地材の表出する上下方向高さを小さくする一方で、当該目地材を利用してオプションの装着も可能となる目地材を提供することにある。【解決手段】間仕切り１０の仕切面を形成するパネル２０間に目地材１３が設けられている。この目地材１３は、横方向に延びる本体部３０と、この本体部の前後に位置する外側部材３３の各外面側に設けられたオプション装着用の溝３５を備える。溝３５は、深さ方向が略横向きとなる湾曲形状に設けられており、その深さ方向中間部が相対的に定位置を通過する緩やかな湾曲形状に設けられている。【選択図】　　　　　図２
2004019197.tif 000002
【特許請求の範囲】
【請求項１】
間仕切り若しくは壁面を形成する複数のパネル間に位置する目地材であって、
横方向に延びる本体部と、この本体部の前後方向における少なくとも一方に設けられて前記パネル間に開放部が臨むように形成されたオプション装着用の溝とを備え、
前記溝は、深さ方向が略横向きとなる形状に設けられていることを特徴とする目地材。
【請求項２】
前記溝の横断面形状は、前記開放部の上端部と、溝の底部先端部とが略同一の高さ位置となる湾曲形状に設けられていることを特徴とする請求項１記載の目地材。
【請求項３】
前記溝の横断面形状は、当該溝の深さ方向中間部が前記溝の開放部位置と底部位置よりも低い位置を通過する緩やかな湾曲形状に設けられていることを特徴とする請求項１又は２記載の目地材。
【請求項４】
前記溝は前記本体部に沿って延びていることを特徴とする請求項１，２又は３記載の目地材。
【発明の詳細な説明】
【０００１】
【発明の属する技術分野】
本発明は目地材に係り、更に詳しくは、上下方向に分割して配置された複数のパネル間に位置する目地材に、棚板等の各種オプションを着脱自在に装着することのできる溝を設けた構造に関する。
【０００２】
【従来の技術】
従来より、オフィス等の空間を仕切る可動間仕切りが知られている。この間仕切りは、上下方向に延びる複数本の支柱を横方向に所定間隔を隔てて配置し、これら支柱間にパネルを装着する構成となっている。この種の間仕切りは、各支柱間に一枚のパネルを配置する構成の他、上下方向に沿って複数に分割された横長のパネルをそれぞれ装着するタイプのものが存在する。後者のタイプの間仕切りにおいては、支柱間に目地材を掛け渡しておき、この目地材の表面側部分をパネル間に表出させる構造が一般的である。
【０００３】
ところで、このような間仕切りにあっては、支柱の前面部分をパネル間に表出させて当該前面部分に形成されたスロット等を利用して棚板等のオプションを着脱自在に装着可能とした構成が知られているが、前述した目地材にオプションを装着できるようにした構成はあまり知られていない。この点、図７に示されるように、間仕切り１００を形成する前後若しくは表裏のパネル１０１，１０１の上端部に笠木類似となる上部材１０２を設け、当該上部材１０２の前後各面に横長の溝１０３，１０３を設けてオプション装着用のブラケット１０４等を着脱自在とした構成が存在する。これによれば、溝１０３に沿って（図７中紙面直交方向に沿って）ブラケット１０４等をスライドさせることができ、当該ブラケット１０４に支持される棚板等の各種オプションの装着位置を任意に変更できるという利点がある。
【０００４】
【発明が解決しようとする課題】
しかしながら、前述した上部材１０２の溝１０３，１０３の横断面形状は、開放部上端１０３Ａに対して底部１０３Ｂが急激に上方位置となる円弧状となっており、上部材１０２における前後（図７中左右）各面に表出する領域の上下方向高さＨ１が必然的に大きい構成となる。
【０００５】
従って、前記溝１０３の構成を間仕切りの目地材に適用した場合には、これが間仕切りの面内で非常に目立ってしまう状態となり、商品価値を大きく低下させてしまうという不都合を招来する。しかも、溝１０３の傾斜が急角度であるため、吹き付けの塗装設備で塗装することが困難となり、少量生産の場合の塗装に適さない。
【０００６】
【発明の目的】
本発明は、このような不都合に着目して案出されたものであり、その目的は、間仕切りの面内において目地材の表出する上下方向高さを可能な限り小さくする一方で、当該目地材を利用してオプションの装着も可能とし、間仕切りとしての商品価値を良好に維持することのできる目地材を提供することにある。
【０００７】
【課題を解決するための手段】
前記目的を達成するため、本発明は、間仕切り若しくは壁面を形成する複数のパネル間に位置する目地材であって、
横方向に延びる本体部と、この本体部の前後方向における少なくとも一方に設けられて前記パネル間に開放部が臨むように形成されたオプション装着用の溝とを備え、
前記溝は、深さ方向が略横向きとなる形状に設けられる、という構成を採っている。このような構成とすれば、目地材の高さを小さく設定してもオプションを装着するための溝の形成が十分に可能となり、上下の各パネル間に表出する目地材の表出高さを小さく設定することが可能となる。しかも、従来構造のように、溝の底部側が開放部側よりも高い位置となる急激な傾斜形状を有しないので、溝内の塵等を綺麗に拭き取ることも容易に行うことができる。しかも、溝内に塗装を施すことが容易となり、吹き付け型の塗装設備を利用して少量生産の塗装にも難なく対応することができる。
【０００８】
【発明の実施の形態】
本発明において、前記溝の横断面形状は、前記開放部の上端部と、溝の底部先端部とが略同一の高さ位置となる湾曲形状に設けられる、という構成の他、溝の深さ方向中間部が前記溝の開放部位置と底部位置よりも低い位置を通過する緩やかな湾曲形状に設けられる、という構成を採ることができ、これにより、前述の目的をよりよく達成しようとしたものである。
【０００９】
また、前記溝は前記本体部に沿って延びるように設けることが好ましい。これにより、溝に装着されるブラケット等の装着位置に自由度を付与することができる他、目地材を押し出し成形に適した形状とすることができる。
【００１０】
なお、本明細書における位置若しくは方向を示す用語は、特に明示しない限り、図１中矢印Ｂ方向から間仕切りを見た場合を基準として用いられる。従って、例えば、「前」、「表」とは、間仕切りを前記Ｂ方向から見た場合の手前側について用いられ、「後」、「裏」とは、同奥行側について用いられる。
【００１１】
【実施例】
以下、本発明の実施例を図面を参照しながら説明する。
【００１２】
図１には、本実施例に係る間仕切りの概略斜視図が示され、図２には、図１のＡ−Ａ線矢視拡大断面図が示されている。これらの図において、間仕切り１０は、相互に所定間隔を隔てて配置された支柱１１，１１と、これら支柱１１間に配置された連結桟１２と、この連結桟１１の上部に固定された目地材１３と、当該目地材１３の上部に固定されたパネル下部保持体１５と、支柱１１，１１の上端部及び下端部間にそれぞれ配置された笠木１６及び巾木１７と、前記支柱１１，笠木１６及び巾木１１で囲まれた内側領域の前後若しくは表裏にそれぞれ配置された複数分割型のパネル２０とを備えて構成されている。
【００１３】
前記連結桟１２は、支柱１１間に延びる略角パイプ状に設けられている。具体的には、図２及び図３に示されるように、上面部２１と、この上面部２１の図２中左右両側に位置する側面部２２，２２と、これら側面部２２の下端部間に位置する底面部２３とを備えて構成されている。上面部２１の前後、すなわち、図２中右端部及び左端部からは、斜め下向きに延びる円弧状の外側傾斜面２５が形成されている一方、側面部２２の上部は、前記外側傾斜面２５と略同一の曲率を有する内側傾斜面２２Ａが形成され、これら外側、内側各傾斜面２５、２２Ａの隙間を利用してパネル２０の上部が支持されるようになっている。この連結桟１２は、前記底面部２３と支柱１１との間に連結ブラケット２６を介して固定されている。すなわち、連結ブラケット２６は側端面形状が略Ｌ字状をなすものによって構成され、その第１の片２６Ａが前記底面部２３の上面側に差し込まれてねじ２８により連結され、第２の片２６Ｂが支柱１１の内側面にねじ２９により連結されるようになっている。
【００１４】
前記目地材１３は、平坦な角パイプ状をなす本体部３０と、この本体部３０の前後各面の中央部に連なる連結部３１，３１を介して設けられた外側部材３３，３３とにより構成されている。各外側部材３３の外側面には、オプション装着用の溝３５が外側部材３３の延出方向に沿って直線状にそれぞれ形成されている。本実施例では、各外側部材３３に溝３５がそれぞれ形成されているが、必要に応じて一方の溝３５は省略してもよい。
【００１５】
前記溝３５は、図２ないし図５に示されるように、深さ方向が略横向きとなる湾曲形状に設けられている。すなわち、溝３５は、開放部３６の上端部３７と、底部先端上部３８とを略同一の高さ位置とし、その中間部３９が前記開放部位置と底部位置よりも若干低い位置を通過する緩やかな湾曲形状に設けられている。従って、溝３５は、横断面形状が浅底の略皿状をなすようになり、これによって外側部材３３全体の高さＨが小さく設定でき、上下のパネル２０間に表出する上下方向幅を狭小化して目地としての機能が損なわれないようになっている。なお、特に限定されるものではないが、本実施例における外側部材３３の高さＨ、すなわち上下方向幅は、約１２ｍｍ程度に設定されている。
【００１６】
前記目地材１３において、本体部３０を構成する頂面部４０にはパネル下部保持体１５がねじ４２を介して固定され、頂面部４０の下に略平行に位置する下面部４３は、ねじ４５を介して連結桟１２の上面部２１に固定される。この際、頂面部４０には適宜な切欠部４６（図５参照）が形成されており、当該切欠部４６を通じてねじ４５が連結桟１２にねじ込みできるようになっている。
【００１７】
前記パネル下部保持体１５は、前記頂面部４０に対する取付面４８と、この取付面４８の前後端にそれぞれ連なる一対の起立面４９，４９と、これら起立面４９の上端に連なって相互に離れる方向に向かって略水平姿勢となる上平面５０と、各上平面５０の外方端から下向きに延びる垂下面５２とにより構成され、当該垂下面５２の下端部が前記目地材１３における連結部３１によって形成された上凹部５４に受容されるようになっている。
【００１８】
前記パネル２０は、図２に示されるように、上部及び下部の各内面側に第１のパネル装着部材５６及び第２のパネル装着部材５７とを備えて構成されている。第１のパネル装着部材５６は、連結桟１２における外側傾斜面２５を挿入可能な円弧状溝６０を備えたブロック６１と、このブロック６１の内面側に取り付けられるとともに、前記内側傾斜面２２Ａと外側傾斜面２５との間に挿入可能な突片６３を備えた取付部材６４とにより構成されている。この一方、第２のパネル装着部材５７は、パネル２０の下端部内面に設けられた断面コ字状の補強部材６６と、この補強部材６６の内面にねじ６７を介して固定された板ばね部材６８とにより構成されている。板ばね部材６８の下端位置は、パネル２０を装着した状態で前記パネル下部保持体１５の各起立片４９間に若干入り込むように設けられており、パネル２０の下端部を外側から強制的に押し込むことで、前記各起立片４９間にカチッと嵌り込むようになっている。
【００１９】
前記目地材１３の溝３５には、オプション装着用のブラケット７０が着脱自在に設けられている。このブラケット７０は、前記溝３５の内面形状に略対応した突部７１を備えた縦部材７２と、この縦部材７２の上下方向中間部から略水平方向前方側に突出した受け部材７３と、この受け部材７３の前端部と縦部材７２の下端部との間に位置する筋交い部材７４とにより構成され、前記受け部材７３には棚板７５等が載せ置きできるようになっている。
【００２０】
次に、本実施例における間仕切り１０の組み立て要領と、目地材１３における溝３５の利用方法について、図６をも参照しながら説明する。
【００２１】
間仕切り１０を組み立てる場合には、支柱１１に対し、予め設定された位置に連結桟１２を連結する。この際、連結桟１２には、目地材１３とパネル位置保持体１５とをねじ４２，４５を介して一体化させておく。また、図示しない連結構造を介して笠木１６及び巾木１７を支柱１１間に配置する。
【００２２】
次いで、パネル２０を前後各面側に装着する。この装着は、図２に示されるように、前記第１のパネル装着部材５６の突片６３を内側傾斜面２２Ａと外側傾斜面２５との間の隙間内に差し込むように位置を合わせた後に、同図中矢印Ｃ方向に回転させることで行うことができる。そして、パネル２０の面が略鉛直面内に位置しようとするときに、第２のパネル装着部材５７の板ばね部材６８がパネル下部保持体１３の上平面５０を強制的に乗り越え、パチンという音を伴って嵌ることとなる。
【００２３】
このようにして各パネル２０を装着した状態では、これらパネル２０間に目地材１３の外側部材３３の各端面が表出することとなる。すなわち、溝３５が横方向に一条に連なる状態が表れる。ここで、溝３５を利用してオプションを装着するときは、図６に示されるように、ブラケット７０の突部７１を斜め上方から挿入するようにして行うことができる。本実施例では、ブラケット７０の受け部材７３が水平面に対して約６８度程度の傾きで挿入することができる。突部７１を溝３５に挿入した状態でブラケット７０を図６中時計方向に回転させると、突部７１が溝３５内に次第に入り込むようになり、受け部材７３が略水平姿勢となる位置まで回転させたときに、突部７１が溝３５内に完全に挿入された状態となる。この状態では、縦部材７２がパネル２０の表面に接する状態となり、この接触により、突部７１への負荷が軽減されることとなる。本実施例では、一対のブラケット７０を溝３５に装着した状態で、各ブラケット７０，７０に棚板７５を載せ置くことができる。
【００２４】
ここで、棚板７５の位置を横方向にずらしたいときは、ブラケット７０の前端側を僅かに持ち上げるようにして縦部材７２とパネル２０との相互接触を解除し、ブラケット７０を左右何れかの方向に移動させることができる。つまり、突部７１を溝３５から抜き出すことなく、左右方向へのスライド操作によって位置変更が可能となる。
【００２５】
なお、本発明における溝３５は、深さ方向が略横向きになる形状であればよく、湾曲の程度は外側部材３３の高さ若しくは厚みを抑制できる範囲で任意に決定することができる。また、湾曲は、溝３５の深さ方向中央部が相対的に低くなるものとしたが、中央部が開放部上端、底部先端上部よりも高くなる設計と採り得る。更に、外側部材３３は溝３５の形成部位を特定するための説明概念であって、パネル２０間に表出する部位に溝３５が設けられる目地材一般を含む。
【００２６】
また、オプションを装着するためのブラケット７０は、例示的に示したものであり、種々の変更を行うことができる。前記実施例では、棚板７５を載せる部材として示したが、例えば、コート掛けハンガー等に代替することでもよく、溝３５に引っ掛けることができる構成を採用すれば足りる。
【００２７】
【発明の効果】
以上説明したように、本発明は、開放部が臨むように形成された溝を目地材に設けるとともに、当該溝の形状を、深さ方向が略横向きとなる湾曲形状としたから、具体的には、溝の深さ方向中間部が前記溝の開放部位置と底部位置よりも低い位置を通過する緩やかな湾曲形状に設けられているため、上下のパネル間に表出する目地材の表出高さを小さくして目地材としての機能を損なうことなく間仕切りに適用することができる。また、溝の底部側が開放部と同程度である湾曲形状であるから、溝内の清掃も容易且つ確実に行うことができる。更に、オプションは、溝の開放部に対して上方位置より差し込んで下向きに回転させることで装着可能な構成となるため、つまり、従来のように略水平位置からオプションを挿入して溝内に引っ掛けるタイプのものに比べて挿入角度が大きくなるため、地震等の振動でオプションが上下動しても当該オプションの外れ難さを向上させることが可能となる。
【００２８】
また、前記溝は前記本体部に沿って延びる構成としたから、溝に装着されるブラケット等の装着位置に自由度を付与することができる他、目地材を押し出し成形に適した形状とすることができ、量産特性を備えて廉価に提供することができる。
【図面の簡単な説明】
【図１】本発明に係る目地材が適用された間仕切りの概略斜視図。
【図２】図１のＡ−Ａ線矢視拡大断面図。
【図３】目地材がパネル位置保持体と共に連結桟に一体化された状態を示す斜視図。
【図４】図３の概略分解斜視図。
【図５】目地材の端部側を拡大した概略斜視図。
【図６】目地材の溝を利用してブラケットを装着する作用を示す断面図。
【図７】従来例を示す部分断面図。
【符号の説明】
１０　間仕切り
１１　支柱
１２　連結桟
１３　目地材
３０　本体部
３１　連結部
３３　外側部材
３５　溝
３６　開放部
３７　上端部
３８　底部先端上部
７０　ブラケット
７５　棚板
【図１】
2004019197.tif 000003
【図２】
2004019197.tif 000004
【図３】
2004019197.tif 000005
【図４】
2004019197.tif 000006
【図５】
2004019197.tif 000007
【図６】
2004019197.tif 000008
【図７】
2004019197.tif 000009